(57)【要約】【課題】カメラとプリンタと携帯電話を同じ接続部で互いに機械的に接続すると共に電気的にも接続を行い各機器を小型軽量にすると共に、ユーザーにとっても使いやすい機器にするための接続装置を実現する。【解決手段】第１の機器に設けられる第１のコネクタ１１と、第２の機器に設けられる第１のコネクタと同形状の第２のコネクタとを具備し、第１及び第２のコネクタは、第１のコネクタを第１の方向から第２のコネクタに機械的に接続する第１の接続形態と、第１のコネクタを第１の方向とは異なる第２の方向から第２のコネクタに接続する第２の接続形態とをとることが可能に構成されるとともに、第１の方向或は第２の方向からの第１のコネクタと第２のコネクタの接続時の相対的な動きをガイドする接続ガイド部１１ｅａ、１１ｅｂを備える。【選択図】      図１
2004192947.tif 000002
【特許請求の範囲】
【請求項１】
第１の機器に設けられる第１のコネクタと、
第２の機器に設けられる前記第１のコネクタと同形状の第２のコネクタとを具備し、
前記第１及び第２のコネクタは、前記第１のコネクタを第１の方向から前記第２のコネクタに機械的に接続する第１の接続形態と、前記第１のコネクタを前記第１の方向とは異なる第２の方向から前記第２のコネクタに接続する第２の接続形態とをとることが可能に構成されるとともに、前記第１の方向或は前記第２の方向からの前記第１のコネクタと前記第２のコネクタの接続時の相対的な動きをガイドする接続ガイド部を備えることを特徴とする接続装置。
【発明の詳細な説明】
【０００１】
【発明の属する技術分野】
本発明は機器の間の機械的結合及び電気的接続を行なう接続装置及び、その接続により機器を制御する接続システムに関するものであり、特にカメラ、携帯電話、プリンタの３者を互いの１つの結合部で２者択一に接続できる装置に関するものである。
【０００２】
【従来の技術】
従来よりカメラとプリンタを接続し、カメラで撮影した画像をプリンタに機械的及び電気的に接続した状態でプリントする技術の提案は活発に行なわれている。
【０００３】
例えば図２５に示す特開平１１−４１５５０号公報の例においてはカメラ部１０２とプリンタ部１０１が脱着可能になっており、カメラ部１０２をプリンタ部１０１に接続するとカメラ部１０２で撮影した写真のデータを電気的接続部（１２０など）を通してプリンタ部１０２に伝達し、そのデータを元にプリンタ部１０２は撮影像をプリントする構成になっている。
【０００４】
そのためにこのような小型プリンタを常に携帯していると撮影後に直ぐに画像の確認が出来るので本撮影に活用できるだけではなく、撮影像を撮影被写体にその場で渡せるためにコミュニケーションの幅を広げることが出来る。
【０００５】
又、図２６に示す特開２００１−３０１２７８号公報の例においては携帯電話１１がコネクタ１２を介してプリンタ１に電気的に接続されており、携帯電話でダウンロードしたウェブ情報などをプリンタで印刷していつでも閲覧できるようになっている。
【０００６】
印刷する情報としては、時刻表、料金明細、地図などその場で直ぐに見たいものを電車に乗っている時などの隙間時間に用意しておくことで必要時に情報をストレス無く利用することが出来るようになる。
【０００７】
更に、図２７に示す特開２００２−７７７０１号公報の例においては、携帯電話１００はカメラ１１０とコネクタ２０を介して電気的に接続されており、カメラで撮影した画像を携帯電話で所望の受信基地に送ることが可能になっている。
【０００８】
そのために相手への情報の正確な伝達が可能になるばかりでなく、例えば多くの画像を基地局のサーバーにストックすることでカメラ側に無限のメモリを与えることになる。
【０００９】
このようにカメラなどの画像を取り込む入力機器とプリンタなどの画像やドキュメントを印刷する出力機器と携帯電話などの通信機器を組み合わせることで従来にない生活に便利なシステムを構築できる。
【００１０】
【発明が解決しようとする課題】
しかしながら、上記の従来技術においては、例えばプリンタとカメラ、カメラと携帯電話、携帯電話とプリンタなどの３つの組み合わせにおいて互いの２者（例えばプリンタとカメラ）の間の関係は開示されているが、プリンタとカメラと携帯電話が互いに連携しあって接続されることまでは考えられていない。
【００１１】
しかしユーザーの立場から云えばそれら３つの組み合わせを自在に使いこなそうとするとプリンタとカメラと携帯電話が２者択一に各々接続できた方が便利であり、従来例を用いてプリンタとカメラと携帯電話を自在に組み合わせようとすると各々専用の接続部が必要になる。
【００１２】
即ちカメラにはプリンタ用の接続部と携帯電話用の接続部が必要になり、プリンタにはカメラ用の接続部と携帯電話用の接続部が必要になり、携帯電話にはカメラ用の接続部とプリンタ用の接続部が必要になる。
【００１３】
そのためそれらの機器は大型化し、重くなってしまう問題があった。
【００１４】
さらに機器の接続のたびにどの接続部を使うのかを考えなくてはならず使いにくいシステムになってしまう。
【００１５】
そこで本発明の目的は、カメラとプリンタと携帯電話を同じ接続部で互いに機械的に接続すると共に電気的にも接続を行い各機器を小型軽量にすると共に、ユーザーにとっても使いやすい機器にするための接続装置を実現することである。
【課題を解決するための手段】
上述した課題を解決し、目的を達成するために、本発明に係わる接続装置は、第１の機器に設けられる第１のコネクタと、第２の機器に設けられる前記第１のコネクタと同形状の第２のコネクタとを具備し、前記第１及び第２のコネクタは、前記第１のコネクタを第１の方向から前記第２のコネクタに機械的に接続する第１の接続形態と、前記第１のコネクタを前記第１の方向とは異なる第２の方向から前記第２のコネクタに接続する第２の接続形態とをとることが可能に構成されるとともに、前記第１の方向或は前記第２の方向からの前記第１のコネクタと前記第２のコネクタの接続時の相対的な動きをガイドする接続ガイド部を備えることを特徴としている。
【００１６】
また、この発明に係わる接続装置において、前記第１及び第２のコネクタは前記第１の方向に延出する接続爪と、前記第２の方向から相手の前記接続爪を挿入可能な開口部とを備え、前記接続ガイド部は、前記開口部に連続するテーパー部を有することを特徴としている。
【００１７】
また、この発明に係わる接続装置において、前記接続爪と前記開口部と前記テーパー部とは、共に一枚の金属板を半抜きプレス加工することにより形成されていることを特徴としている。
【００１８】
また、本発明に係わる接続装置は、第１の機器に設けられる第１のコネクタと、第２の機器に設けられる前記第１のコネクタと同形状の第２のコネクタとを具備し、前記第１及び第２のコネクタは、前記第１のコネクタを第１の方向から前記第２のコネクタに機械的に接続する第１の接続形態と、前記第１のコネクタを前記第１の方向とは異なる第２の方向から前記第２のコネクタに接続する第２の接続形態とをとることが可能に構成された機械的接続部と、前記第１の接続形態と前記第２の接続形態の両者において前記第１の機器と前記第２の機器を電気的に接続する電気的接続部とを備えることを特徴としている。
【００１９】
また、この発明に係わる接続装置において、前記電気的接続部は前記第１の方向に並んで配設された複数の接続端子を有し、前記第１の接続形態及び第２の接続形態の両者において相手の複数の接続端子が対応する自身の複数の接続端子と電気的に接続されるように前記複数の接続端子の配設ピッチが設定されていることを特徴としている。
【００２０】
また、本発明に係わる接続装置は、第１の機器に設けられる第１のコネクタと、第２の機器に設けられる第２のコネクタと、第３の機器に設けられる第３のコネクタとを具備し、前記第１及び第２及び第３のコネクタは、該第１及び第２及び第３のコネクタのいずれか２つを互いにスライドさせることで機械的に接続可能に構成されるとともに、前記第１及び第２及び第３のコネクタの内の２つのコネクタは、機械的に接続された２つのコネクタの接続状態を係止する係止部を備えることを特徴としている。
【００２１】
また、この発明に係わる接続装置において、前記第１のコネクタは、前記第２及び第３のコネクタを第１の方向から前記第１のコネクタに接続許可すると共に第１の方向以外からの接続を禁止する第１の接続部を備え、前記第２のコネクタは、第３のコネクタを第１の方向から前記第２のコネクタに接続許可すると共に第１の方向以外からの接続を禁止する第２の接続部を備え、前記第３のコネクタは、前記第２のコネクタを第１の方向から前記第３のコネクタに接続許可すると共に前記第１のコネクタを前記第１の方向とは反対の第２の方向から前記第３のコネクタに接続許可する第３の接続部を備えることを特徴としている。
【００２２】
また、本発明に係わる接続装置は、第１の機器に設けられる第１のコネクタと、第２の機器に設けられる第１のコネクタと同形状の第２のコネクタと、第３の機器に設けられる第１のコネクタと同形状の第３のコネクタとを備え、前記第１の機器と前記第２の機器の接続、前記第２の機器と前記第３の機器の接続、及び前記第３の機器と前記第１の機器の接続は、各々のコネクタの同一箇所で行なわれることを特徴としている。
【００２３】
また、本発明に係わる接続装置は、第１の機器と第２の機器と第３の機器の各々に設けられ、該第１乃至第３の機器のうちの何れか２つを互いに機械的に固定すると共に電気的にも接続する接続装置であって、複数の電気的接続端子と、該複数の電気的接続端子の配設される方向に沿う軸回りに回転させた時に互いの機器が機械的に係合しあう係止爪とを備えることを特徴としている。
【００２４】
また、この発明に係わる接続装置において、前記係止爪は前記複数の電気的接続端子を挟む様に前記軸に沿う方向に複数配置されていることを特徴としている。
【００２５】
また、本発明に係わる接続装置は、第１の機器と第２の機器と第３の機器の各々に設けられ、該第１乃至第３の機器のうちの何れか２つを互いに機械的に固定すると共に電気的にも接続する接続装置であって、複数の電気的接続端子と、
該複数の電気的接続端子の配設される方向に直交する方向に延出する係止爪とを備えることを特徴としている。
【００２６】
また、この発明に係わる接続装置において、前記何れか２つの機器を前記係止爪で機械的に固定したときに互いに共有する面に前記複数の電気的接続端子を配設したことを特徴としている。
【００２７】
また、本発明に係わる接続装置は、第１の機器と第２の機器と第３の機器の各々に設けられ、該第１乃至第３の機器のうちの何れか２つを互いに機械的に固定すると共に電気的に接続する接続装置であって、機械的固定時にラジアル方向の互いの離反を規制する離反規制面に互いの電気的接続を確保する電気接続部を設けたことを特徴としている。
【００２８】
また、この発明に係わる接続装置において、前記機械的固定時にラジアル方向の互いの離反を規制する係止爪を有し、機械的固定時に互いの係止爪が接触する面に電気的接続部を設けたことを特徴としている。
【００２９】
また、この発明に係わる接続装置において、前記電気的接続部は複数の電気的接続端子を含み、前記係止爪の延出する方向と直交する方向に前記複数の電気的接続端子を配設したことを特徴としている。
【００３０】
また、本発明に係わる接続システムは、通信機器とカメラを互いに機械的に固定すると共に、前記通信機器とカメラの一方が他方を制御可能となるように接続する接続システムにおいて、前記通信機器に設けられた通信情報表示画面とカメラに設けられた撮影像確認用表示画面の画面の向きが揃うように固定方向を設定したことを特徴としている。
【００３１】
また、この発明に係わる接続システムにおいて、前記通信機器を前記カメラに機械的に固定した場合に、前記通信機器をカメラの撮影情報を送信する送信モードに切り換えるモード切り換え手段を備えることを特徴としている。
【００３２】
また、本発明に係わる接続システムは、通信機器とカメラを互いに機械的に固定すると共に、前記通信機器とカメラの一方が他方を制御可能となるように接続する接続システムにおいて、前記通信機器に設けられた通信情報表示画面とカメラに設けられた撮影光学系の撮影方向とが互いに揃うように固定方向を設定したことを特徴としている。
【００３３】
また、この発明に係わる接続システムにおいて、前記通信機器を前記カメラに機械的に固定した場合に、前記通信情報表示画面に前記撮影光学系の撮影した像を表示することを許可する表示許可手段を備えることを特徴としている。
【００３４】
また、本発明に係わる接続システムは、通信機器とカメラを互いに機械的に固定すると共に、前記通信機器とカメラの一方が他方を制御可能となるように接続する接続システムにおいて、前記通信機器に設けられた通信情報表示画面と前記カメラに設けられた撮影像確認用表示画面の画面の向きを揃えるように固定方向を設定した第１の固定モードと、前記通信機器に設けられた通信情報表示画面と前記カメラに設けられた撮影光学系の撮影方向が互いに揃うように固定方向を設定した第２の固定モードとを有し、前記第１の固定モードの場合には前記通信機器を前記カメラの撮影情報を送信する送信モードに切り換え、前記第２の固定モードの場合には前記通信情報表示画面に前記撮影光学系の撮影した像を表示する画像表示モードに切り換えるモード切り換え手段を備えることを特徴としている。
【００３５】
また、本発明に係わる接続装置は、第１の機器と第２の機器に設けられ、該第１及び第２の機器を互いに機械的に固定する接続装置において、複数の接続ピンの中で前記第１又は第２の機器からの延出が許可され、沈胴が規制されると共に相手側の機器に挿入される第１の接続ピンと、前記第１又は第２の機器からの延出が規制され前記第１又は第２の機器内に沈胴して沈胴時に相手側機器の接続ピンが挿入可能な孔を形成する第２の接続ピンとを備えることを特徴としている。
【００３６】
また、この発明に係わる接続装置において、前記第１の接続ピンと第２の接続ピンは、前記第２の接続ピンが沈胴される時に前記第１の接続ピンが延出する様に互いに連結されることを特徴としている。
【００３７】
また、この発明に係わる接続装置において、前記第１の接続ピンを沈胴方向に付勢するか、或は前記第２の接続ピンを延出方向に付勢する付勢手段を備えることを特徴としている。
【００３８】
また、この発明に係わる接続装置において、前記第１の接続ピンと第２の接続ピンに挟まれ、前記第１の接続ピンと前記第２の接続ピンを結ぶ軸と直交する方向に複数配列された電気的接続端子を備えることを特徴としている。
【００３９】
また、この発明に係わる接続装置において、前記第１の接続ピン及び前記第２の接続ピンは互いの相手の機器に延出方向を変化させながら挿入されることを特徴としている。
【００４０】
また、この発明に係わる接続装置において、前記第１の接続ピンと第２の接続ピンは端部において接続され、１つの軸周りに回転可能に支持されていることを特徴としている。
【００４１】
また、この発明に係わる接続装置において、前記第１の接続ピンと第２の接続ピンの前記軸周りの所定の角度以上の回転を規制する回転規制手段を備えることを特徴としている。
【００４２】
また、この発明に係わる接続装置において、前記第１の接続ピンと第２の接続ピンを、前記軸周りの一方向の回転方向に付勢する付勢手段を備えることを特徴としている。
【００４３】
また、本発明に係わる接続システムは、通信機器とカメラを互いに機械的に固定すると共に、前記通信機器とカメラの一方が他方を制御可能となるように接続する接続システムにおいて、前記通信機器は、該通信機器と前記カメラを接続した場合にカメラで撮影した画像データを送信先に送信する送信手段を備え、該送信手段は前記カメラの複数の画像データを送信する時にはカメラの画像データの１つを通信機器側に取り込むデータ取得手段と、取り込んだ画像データを保存する画像保存手段と、保存した画像データを送信先に送信する通信手段とを有し、前記データ取得手段にカメラからの１つの画像データを取り込ませ、前記画像保存手段に保存し、保存完了後に前記送信手段に送信先に画像データを送信させる動作を繰り返す事でカメラの複数の画像データを送信する送信制御手段を備えることを特徴としている。
【００４４】
また、この発明に係わる接続システムにおいて、前記通信機器がカメラの画像データを送信する送信動作中に前記通信機器と前記カメラの機械的固定が解除された場合に、前記送信制御手段は、機械的接続解除時に画像データを送信先に送信中の場合は画像保存手段に保存してある画像データの送信は継続させ、機械的接続解除時にカメラから画像データを取り込み中であった場合はそのデータの送信先への送信は中止させることを特徴としている。
【００４５】
また、この発明に係わる接続システムにおいて、前記送信制御手段は各画像データ送信完了ごとに前記画像保存手段に保存した画像データを消去するか或は新たな画像データに更新することを特徴としている。
【００４６】
また、この発明に係わる接続システムにおいて、前記送信制御手段は各画像データ送信完了時に送信先より送信確認が得られた後に前記画像保存手段に保存した画像データを消去するか或は新たな画像データに更新することを特徴としている。
【００４７】
【発明の実施の形態】
以下、本発明の実施形態について、添付図面を参照て詳細に説明する。
【００４８】
（第１の実施形態）
図１は本発明の第１の実施形態のコネクタ１１を示す図であり、プレス加工された地板１１ａは半抜きされた凸部１１ｂａ、１１ｃａを有し、凸部１１ｂａ、１１ｃａの先端に爪部１１ｂｂ、１１ｃｂが地板１１ａよりオーバーハングする様に設けられている。
【００４９】
このようにコネクタ１１は金属プレスの地板の半抜き加工で作られているので丈夫に作られているばかりではなく、極めて薄く形成されている。
【００５０】
地板１１ａには２箇所の孔１１ｄが設けられており、後述するカメラやプリンタ、携帯電話などに孔１１ｄを介して地板１１ａはネジ止めされる。
【００５１】
ストッパ１２はピン１２ａが矢印１２ｂの方向にバネ付勢されており、不図示の抜けどめにより所定量以上地板１１ａより突出しない様になっている。
【００５２】
ストッパ１２は相手のコネクタが組み合わさった時に、その外れ防止を行なっており、詳細については後述する。
【００５３】
端子１３は複数の端子列１３ａ、１３ｂを有しており、例えば電源端子、信号端子、タイミング端子、グランド端子など個別の役割を持ったグループ１３ａ、１３ｂ端子が図示されるように爪部１１ｂｂ、１１ｃｂの延出方向（矢印１３ｃ）に並んで配設されている。
【００５４】
これらのグループ１３ａ、１３ｂは相手機器との接続時にいずれかのグループが相手機器の端子と接続されると電気的に接続状態になる。
【００５５】
又、これらの接続端子もストッパ１２と同様に矢印１２ｂの方向にバネ付勢されており、不図示の抜けどめにより所定量以上地板１１ａより突出しない様になっている。
【００５６】
そのために端子列１３ａ、１３ｂはグループごと（図では４端子が１グループ）に矢印１２ｂ側に沈胴可能になっている。
【００５７】
図２は対のコネクタの接続方法を段階別に示しており、図２において符号に（’）がついているのは相手の接続装置の同じ部材を示している。
【００５８】
ステップ＃１では地板１１ａに対して相手の地板１１ａ’を互いの位相（図では紙面縦方向）をずらして矢印１２ｂ’方向に押し付ける。
【００５９】
するとストッパ１２ａは相手の凸部１１ｂａ’、爪部１１ｂｂ’に押されて矢印１２ｂ方向に押され、同様にストッパ１２ａ’も地板１１ａに押されて矢印１２ｂ’方向に沈胴する。
【００６０】
又、端子１３ａ、１３ｂも相手の凸部１１ｃａ’、爪部１１ｃｂ’に押されて矢印１２ｂ’方向に押され、端子１３ａ’、１３ｂ’も相手の凸部１１ｂａ、爪部１１ｂｂに押されて矢印１２ｂ方向に押される。（ステップ＃２）
ステップ＃２の状態から地板１１ａ’を矢印１４の方向にスライドさせる。
【００６１】
ステップ＃３ではストッパ１２ａは相手の凸部１１ｂａ’、爪部１１ｂｂ’から外れて再び矢印１２ｂ方向に飛び出し、その先端は相手の爪部１１ｂｂ’の先端を規制するので２つの地板１１ａ、１１ａ’の間のスライドは不能になる。
【００６２】
再スライドさせて互いの接続を解除したい時にはストッパ１２ａを不図示のノブにより付勢力に逆らって機器側に沈胴させながら互いの地板１１ａ、１１ａ’を互いにスライドさせればよい。
【００６３】
又、端子１３ａは相手の爪部１１ｃｂ’からはずれ、矢印１２ｂ方向に飛び出し、同様に端子１３ｂ’も相手の凸部１１ｂａからはずれ、矢印１２ｂ’方向に飛び出し、端子１３ｂ、１３ｂ’は互いに接触して電気的接続が行なわれる。
【００６４】
図３は対のコネクタの接続方法を段階別に示しており、図２との違いは相手側の接続装置との位相（図では紙面縦方向）を逆にしている点である。
【００６５】
ステップ＃１では地板１１ａに対して相手の地板１１ａ’を互いの位相（図では紙面縦方向）をずらして矢印１２ｂ’方向に押し付ける。
【００６６】
するとストッパ１２ａ’は相手の凸部１１ｂａ、爪部１１ｂｂに押されて矢印１２ｂ方向に押され、同様にストッパ１２ａも地板１１ａ’に押されて矢印１２ｂ’方向に沈胴する。
【００６７】
又、端子１３ａ、１３ｂも相手の凸部１１ｂａ’、爪部１１ｂｂ’に押されて矢印１２ｂ’方向に押され、端子１３ａ’、１３ｂ’も相手の凸部１１ｃａ、爪部１１ｃｂに押されて矢印１２ｂ方向に押される。（ステップ＃２）
ステップ＃２の状態から地板１１ａ’を矢印１４’の方向にスライドさせる。
【００６８】
ステップ＃３ではストッパ１２ａ’は相手の凸部１１ｂａ、爪部１１ｂｂから外れて再び矢印１２ｂ’方向に飛び出し、その先端は相手の爪部１１ｂｂの先端を規制するので２つの地板１１ａ、１１ａ’の間のスライドは不能になる。
【００６９】
再スライドさせて互いの接続を解除したい時にはストッパ１２ａ’を不図示のノブにより付勢力に逆らって機器側に沈胴させながら互いの地板１１ａ、１１ａ’を互いにスライドさせればよい。
【００７０】
又、端子１３ａ’は相手の爪部１１ｃｂからはずれ、矢印１２ｂ’方向に飛び出し、同様に端子１３ｂも相手の凸部１１ｂａ’からはずれ、矢印１２ｂ方向に飛び出し、端子１３ｂ、１３ｂ’は互いに接触して電気的接続が行なわれる。
【００７１】
このようにこのコネクタにおいては図２、図３のいずれの位相からも互いに機械的に接続が可能であり、どの方向から接続しても接続後は互いに接続をロック出来、且つ電気的にも接続が可能になっている。
【００７２】
この様に第１の機器に設けられる第１のコネクタ（コネクタ１１）と第２の機器に設けられ第１のコネクタと同形状の第２のコネクタで構成され、互いの機器を機械的に接続すると共に電気的にも接続する接続装置であって、第１のコネクタを第１の方向（矢印１４方向）から第２のコネクタに機械的接続する第１の接続形態（図２、ステップ＃３）と、第１のコネクタを第１の方向とは異なる第２の方向（矢印１４’）から第２のコネクタに接続し接続後に第１の接続形態とは異なる接続形態になる第２の接続形態（図３、ステップ＃３）を実現する機械的接続部（凸部１１ｂａ、爪部１１ｂｂ、凸部１１ｃａ、爪部１１ｃｂ及び凸部１１ｂａ’、爪部１１ｂｂ’、凸部１１ｃａ’、爪部１１ｃｂ’）と、第１の接続形態時と第２の接続形態時の両者において第１の機器と第２の機器を電気的に接続する電気的接続部（端子１３）を第１のコネクタと第２のコネクタに各々有し、電気的接続部は第１の方向（矢印１３ｃ）に並んで配設された複数の接続端子で構成され、第１の接続形態及び第２の接続形態の両者においても相手の複数の接続端子が対応する接続端子と電気的に接続されるように複数の接続端子の配設ピッチを設定した（端子列１３ａ、１３ｂの間隔配置）ために各機器を自在に機械的に接続した時に同時に電気的にも過不足無く接続できる様になっている。
【００７３】
図２、図３において地板１１ａに対し地板１１ａ’を矢印１２ｂ方向に押し付け（ステップ＃１）その後地板１１ａ（或は地板１１ａ’）を矢印１４方向にスライドさせる訳であるが、その時凸部１１ｂａ、爪部１１ｂｂ、凸部１１ｃａ、爪部１１ｃｂ及び凸部１１ｂａ’、爪部１１ｂｂ’、凸部１１ｃａ’、爪部１１ｃｂ’を互いの地板１１ａ、１１ａ’にあけられた穴１１ｅ、１１ｆ、１１ｇ（図１）に押し込み、その後互いの凸部と爪部を係合させなくてはならない。
【００７４】
このような操作をユーザーが手探りで簡単に行える様にするために穴形状に工夫がされている。
【００７５】
先ず互いの地板１１ａ、１１ａ’を押し付ける段階（ステップ＃１）においては穴部１１ｅ、１１ｆ、１１ｇの面積は相手の凸部１１ｂａ’、１１ｃａ’の面積より十分大きく開けられている。
【００７６】
そのために互いの地板１１ａ、１１ａ’を手探りで押し合わせても凸部１１ｂａ’、１１ｃａ’（或は凸部１１ｂａ、１１ｃａ）は簡単に穴部１１ｅ、１１ｆ、１１ｇ（或は１１ｅ’、１１ｆ’、１１ｇ’）にはめ込まれる。
【００７７】
各々の穴部１１ｅ、１１ｆ、１１ｇにはそれぞれテーパ部１１ｅａ、１１ｅａ、１１ｆａ、１１ｆｂ、１１ｆｃ、１１ｆｄ、１１ｇａ、１１ｇｂが設けられ、押し込まれた凸部は矢印１４方向のスライド量に応じて相手の爪部に向かってならいながら押し込まれてゆく。
【００７８】
そのために互いの地板を結合する時にはラフな操作でよく、且つ結合後にはガタのない構成に出来ている。
【００７９】
この様に第１の機器に設けられる第１のコネクタ（コネクタ１１’）と第２の機器に設けられ第１のコネクタと同形状の第２のコネクタ（コネクタ１１）で構成され、互いの機器を機械的に接続する接続装置であって、第１のコネクタを第１の方向（矢印１４）から第２のコネクタに機械的に接続する第１の接続形態と、第１のコネクタを第１の方向とは異なる第２の方向（矢印１４’）から第２のコネクタに接続する第２の接続形態を実現する機械的接続部（凸部１１ｂａ、爪部１１ｂｂ、凸部１１ｃａ、爪部１１ｃｂ及び凸部１１ｂａ’、爪部１１ｂｂ’、凸部１１ｃａ’、爪部１１ｃｂ’）と、第１の方向或は第２の方向からの第１の機器と第２の機器の接続ズレを修正する接続ガイド部（テーパ部１１ｅａ、１１ｅｂ、１１ｆａ、１１ｆｂ、１１ｆｃ、１１ｆｄ、１１ｇａ、１１ｇｂ、１１ｅａ’、１１ｅｂ’、１１ｆａ’、１１ｆｂ’、１１ｆｃ’、１１ｆｄ’、１１ｇａ’、１１ｇｂ’）を設け、第１のコネクタ及び第２のコネクタは第１の方向に延出する接続爪（凸部１１ｂａ、爪部１１ｂｂ、凸部１１ｃａ、爪部１１ｃｂ及び凸部１１ｂａ’、爪部１１ｂｂ’、凸部１１ｃａ’、爪部１１ｃｂ’）と、第２の方向から相手の接続爪が嵌合可能な開口部（１１ｅ、１１ｆ、１１ｇ、１１ｅ’、１１ｆ’、１１ｇ’）と、相手の接続爪を開口部に挿入する時に挿入方向の軸ズレを修正する開口テーパ-部（テーパ部１１ｅａ、１１ｅｂ、１１ｆａ、１１ｆｂ、１１ｆｃ、１１ｆｄ、１１ｇａ、１１ｇｂ、１１ｅａ’、１１ｅｂ’、１１ｆａ’、１１ｆｂ’、１１ｆｃ’、１１ｆｄ’、１１ｇａ’、１１ｇｂ’）は共に一枚の金属板を半抜きプレス加工で形成した。
【００８０】
これにより各機器の接続は極めて円滑に行なえ、接続機構も小型軽量に出来るようになった。
【００８１】
以上説明したコネクタを用いた機器の結合について説明する。
【００８２】
図４はカメラ１５にコネクタ１１を取り付けた図であり、コネクタ１１はカメラ本体１５ａの側面にネジ止めされている。
【００８３】
尚カメラ本体１５ａにおいて１５ｂはレンズバリアであり、公知の様にレンズバリア１５ｂをスライドさせて撮影レンズを露出させることで撮影準備を行い、レリーズボタン１５ｃを操作することで撮影実行を行なう。
【００８４】
図５はカメラ１５を背面より見た図であり、カメラ本体１５には撮影時の被写体の様子や撮影後の画像を見るための液晶表示１５ｄや撮影後の画像を選択し表示させたり、後述する様にプリントするための操作ボタンおよびコネクタ１１のストッパ１２を退避させて接続機器を取り外すための操作ボタン１５ｅが設けられている。
【００８５】
尚、ストッパ１２はコネクタ１１の近傍に配置されているので操作ボタン１５ｅとは離れているが、機械的にリンクさせたり、或は操作ボタン１５ｅの操作でアクチュエータを動作させてストッパ１２の退避を制御している。
【００８６】
このようにストッパ１２の退避ボタンもその他の操作ボタンとまとめて配置することで操作を簡単にしてる。
【００８７】
図６は携帯型のプリンタ装置図であり、プリンタ１６のプリンタ本体１６ａの側面にはコネクタ１１がネジ止めされている。
【００８８】
プリンタ本体１６ａには主電源や印刷用のヘッドクリーニング、用紙の強制排出などの操作ボタンおよびコネクタ１１のストッパ１２を退避させて接続機器を取り外すための操作ボタン１６ｂが設けられている。
【００８９】
尚、ストッパ１２はコネクタ１１の近傍に配置されているので操作ボタン１６ｂとは離れているが、機械的にリンクさせたり、或は操作ボタン１６ｂの操作でアクチュエータを動作させてストッパ１２の退避を制御している。
【００９０】
このようにストッパ１２の退避ボタンもその他の操作ボタンとまとめて配置することで操作を簡単にしてる。
【００９１】
図７は携帯電話機を示す図であり、携帯電話１７の携帯電話本体１７ａの側面にはコネクタ１１がネジ止めされている。
【００９２】
又、図８に示す様に携帯電話本体１７の反対側の側面にもコネクタ１１がネジ止めされている。
【００９３】
即ち携帯電話１７は両側面に２つのコネクタ１１を有することになる。
【００９４】
その理由は後述する。
【００９５】
携帯電話本体１７ａには液晶表示１７ｂが設けられており、公知の様に電話番号やインタネット情報の表示を行うと共に後述するようにプリンタ制御情報、カメラ画像送信情報、カメラ撮影時の被写体状況などを表示する。
【００９６】
カメラ本体１７ａに設けられる蓋１７ｃは開閉可能であり、蓋１７ｃを開閉することでテンキーなどの操作ボタンが露出される。
【００９７】
尚、携帯電話本体１７ａの２つのコネクタ１１にはストッパ１２は設けられていない。
【００９８】
これは携帯電話１７がカメラ１５と接続される時はカメラ本体１５ａに設けられるストッパ１２で互いの連結は保持され、又、携帯電話１７がプリンタ１６と接続される時はプリンタ本体１６ａに設けられるストッパ１２で互いの連結が保持されるからである。
【００９９】
勿論携帯電話同士を接続する時には互いの連結を保持するストッパは無い訳であるが、携帯電話同士の連結を行なう必要は無いので、その分ストッパ１２を廃止することで携帯電話本体１７ａが大型化することを防いでいる。
【０１００】
このように、第１の機器（カメラ１５）と第２の機器（プリンタ１６）と第３の機器（携帯電話１７）に各々に設けられ、互いをスライドさせる事で何れか２種の機器を互いに機械的に固定する接続装置において、第１の機器、第２の機器、第３の機器のうち２種の機器にスライドを係止する係止部（ストッパ１２）を設け、詳しくは第１の機器と第２の機器のみ係止部を設ける構成にすることで第３の機器の小型化を図ると共に、第３の機器には大型化せずに２つの接続装置を設けることが出来るので、後述する様に第３の機器の第１の機器、第２の機器との接続姿勢を選ぶことが出来るようになる。
【０１０１】
図９はカメラ１５とプリンタ１６を接続した図であり、カメラ本体１５ａに設けられたコネクタ１１とプリンタ本体１６ａに設けられたコネクタ１１は図２、図３の要領で互いに結合される。
【０１０２】
このように結合された状態においてカメラ本体１５ａの液晶表示１５ｄにプリントさせたい画像を再生させ、カメラ側の操作ボタン１５ｅを操作することでプリンタ１６に画像のプリントを行なわせる。
【０１０３】
プリンタ１６側の操作ボタン１６ｂは前述したようにプリンタ１６の主電源や印刷用のヘッドクリーニング、用紙の強制排出などを行なわせるために設けてあるが、カメラ１５とプリンタ１６を分離するためにも必要であり、カメラ１５とプリンタ１６を分離する時にはカメラ本体１５ａの操作ボタン１５ｅとプリンタ本体１６ａの操作ボタンを同時操作して互いのストッパ１２を退避させつつ両者をスライドさせて分離する。
【０１０４】
図１０はプリンタ１６と携帯電話１７を接続した図であり携帯電話本体１７ａに設けられたコネクタ１１とプリンタ本体１６ａに設けられたコネクタ１１は図２、図３の要領で互いに結合される。
【０１０５】
このように結合された状態において携帯電話本体１７ａの液晶表示１７ｂにプリントさせたい画像或はドキュメントを表示させ、携帯電話側の操作ボタン（図では蓋１７ｃに隠れて見えない）を操作することでプリンタ１６に画像のプリントを行なわせる。
【０１０６】
プリンタ１６側の操作ボタン１６ｂは前述したようにプリンタ１６の主電源や印刷用のヘッドクリーニング、用紙の強制排出などを行なわせるために設けてあるが、携帯電話１７とプリンタ１６を分離するためにも必要であり、携帯電話１７とプリンタ１６を分離する時にはプリンタ本体１６ａの操作ボタン１６ｂを操作してプリンタ本体１６ａのストッパ１２を退避させつつ両者をスライドさせて分離する。
【０１０７】
図１１、図１２はカメラ１５と携帯電話１７を接続した図であり携帯電話本体１７ａに設けられたコネクタ１１とカメラ本体１５ａに設けられたコネクタ１１は図２、図３の要領で互いに結合される。
【０１０８】
ここで図１１と図１２の違いを説明する。
【０１０９】
図１１は携帯電話本体１７ａに設けられた液晶表示１７ｂにカメラ１５の撮影する画像を表示させる事を目的としている。
【０１１０】
通常カメラで被写体を撮影するときにはファインダやカメラ背面の液晶表示で被写体を観察する。
【０１１１】
しかし図１１の様に携帯電話１７をカメラ１５に接続すると自分を撮影する場合においてもカメラ正面と対向しながら自分の像を液晶表示１７ｂで確認できる。
【０１１２】
即ち図１１の接続形態は自分撮影用の撮影表示手段として携帯電話１７を用いている。
【０１１３】
図１２においてはカメラ本体１５ａの液晶表示１５ｄと携帯電話本体１７ａの液晶表示１７ｂを並べて接続してある。
【０１１４】
この場合にはカメラ１５で撮影した画像を液晶表示１５ｄに再生させ、携帯電話１７でその画像を送信先に送信することを目的としている。
【０１１５】
このように結合された状態において携帯電話本体１７ａの液晶表示１７ｂには送信先情報や送信方法などを表示させ、携帯電話側の操作ボタン（図では蓋１７ｃに隠れて見えない）を操作することで送信の設定や送信先の選択を行なう。そしてカメラ側の操作ボタン１５ｅを操作することで送信先に画像の送信を行なう。
【０１１６】
このようにカメラ１５と携帯電話１７の接続方法の違いにより互いの機能を十分に発揮できるようになっている。
【０１１７】
実際の互いの機能は個別に設定するのは煩わしいので、接続方法の違いを判定して自動的にカメラと携帯電話の使う機能を自動設定する。
【０１１８】
接続方法の判定は携帯電話本体１７ａに設けられた２つのコネクタのいずれにカメラ１５側のコネクタが接続されたかで判定しており、その方法は２つのコネクタのうちのどちらのコネクタの端子１３にカメラからの信号が来ているかで判定している。
【０１１９】
又、携帯電話１７とカメラ１５を分離する時にはカメラ１５側の操作ボタン１５ｅを操作してカメラ本体１５ａのストッパ１２を退避させつつ両者をスライドさせて分離する。
【０１２０】
図１３は携帯電話１７側のブロック図であり、携帯電話マイコン１７ｄは互いのコネクタ１１、１１’の端子１３を介してカメラマイコン１５ｆと電気的に接続されており、又、携帯電話マイコン１７ｄにはどちらのコネクタがカメラに接続されたのかを判別する接続判別部１７ｅの出力が入力されており、その出力に応じて携帯電話マイコン１７ｄは液晶表示１７ｂの表示を制御すると共に操作ボタン１７ｆの処理内容を変更する。
【０１２１】
例えば図１１の様にカメラ１５が携帯電話１７と接続された時には、携帯電話マイコン１７ｄはカメラマイコン１５ｆから送られる撮影画像を表示するように液晶表示１７ｂを制御し、又、操作ボタン１７ｆはその画像を携帯電話１７側のメモリに記憶したり、或はカメラ１５側のズーム操作を行なう役割として働くようにする。
【０１２２】
そして図１２の様にカメラ１５が携帯電話１７と接続された時には携帯電話マイコン１７ｄはカメラマイコン１５ｆから送られる撮影画像を表示せず、操作ボタン１７ｆは図１１の場合と同じボタンであってもカメラ側の画像を送信先に送信する送信先選択や送信決定などの役割として働くようにする。
【０１２３】
図１４は上記動作のフローチャートを示しており、このフローは携帯電話の電源が入っている時にスタートしている。
【０１２４】
データ取得部１７ｇはカメラ１５の撮影画像データを携帯電話１７側に取込み、ＲＡＭデータとしてメモリする。画像保存部１７ｈはＲＡＭデータの画像データを保存するＲＯＭである。
【０１２５】
通信部１７ｉはＲＯＭデータを送信先に送信する。
【０１２６】
ステップ＃１００１では携帯電話１７がカメラ１５に接続されたか否かを判定しており、接続されるまでステップ＃１００１に戻って待機する。
【０１２７】
ここで携帯電話にプリンタが接続された場合には上記ステップ＃１００１のフローは以降のステップに流れてゆかない。
【０１２８】
ステップ＃１００２では携帯電話の接続方法を検出しており、接続が携帯電話１７の表示画面１７ｂとカメラ１５の撮影方向が同じ面の時には自分撮影と判断してステップ＃１００３に進み、反対に携帯電話１７の表示画面１７ｂがカメラ１５の表示画面１５ｄと同じ方向になる様に接続された時にはカメラ画像の送信と判断してステップ＃１００８に進む。
【０１２９】
ステップ＃１００３ではカメラの撮影装置からの現在の画像入力を待機する。
【０１３０】
そして画像入力があるとステップ＃１００４に進む。
【０１３１】
ここで画像入力が無い場合にはステップ＃１００３を循環して待機する訳であるが、その間にカメラ１５と携帯電話１７の接続が絶たれた場合にはスタートに戻る。
【０１３２】
ステップ＃１００４ではカメラ１５から入力される現在の画像を携帯電話１７の液晶表示１７ｂに表示する。
【０１３３】
ステップ＃１００５では携帯電話１７の操作ボタン１７ｆのカメラ１５の画像を携帯電話１７に保存する信号を判別し、保存信号があるときはステップ＃１００６に進み、そうでない時はステップ＃１００３に戻りカメラ１５からの新たな画像を待機する。
【０１３４】
カメラ１５は所定の周期（例えば１／３０秒）で画像を更新しており、それに応じて携帯電話の表示画像も更新される。
【０１３５】
尚、カメラ１５の画像は例えば３００万画素の撮像素子で撮影してあり、そのままのデータを携帯電話１７の表示画面に表示することは好ましくないので、携帯電話１７の液晶表示１７ｂにカメラの画像を表示するときにはデータを大幅に間引き処理してサムネイル画像にして表示する。
【０１３６】
ステップ＃１００６ではカメラ１５の画像を携帯電話１７のメモリに保存する。
【０１３７】
このときの保存形態もカメラ１５の画像データをそのまま保存するのではなく、例えば３００万画素の撮影データをＶＧＡクラスのデータまで間引きして保存する。
【０１３８】
ステップ＃１００７では携帯電話１７とカメラの両コネクタ１１の接続が絶たれたか否かを判別している。
【０１３９】
これは端子１３の通信状態が保たれているか否かで判断している。
【０１４０】
そして接続が継続している時にはステップ＃１００３に戻りカメラからの画像を更新しつつカメラからの画像を携帯電話に保存する信号を待機する。
【０１４１】
接続が絶たれた時にはステップ＃１００１に戻り、次の接続を待機する。
【０１４２】
ステップ＃１００２で携帯電話１７の表示画面１７ｂがカメラ１５の表示画面１５ｄと同じ方向になる様に接続された時にはカメラ画像の送信と判断してステップ＃１００８に進み、ステップ＃１００８では携帯電話本体１７ａの表示画面１７ｂにカメラの画像信号を送信するモードであることを表示させると共に携帯電話本体１７ａの操作ボタン１７ｆにカメラからの画像を送信先に送信させるための入力手段としての役割を割り当てる。
【０１４３】
ステップ＃１００９では送信先のリストがユーザーから要求されるまで待機する。
【０１４４】
ユーザーから送信先リストが要求されるとステップ＃１０１０に進む。
【０１４５】
ステップ＃１０１０では送信先のリストを表示画面１７ｂに表示する。
【０１４６】
ステップ＃１０１１では送信先リストから送信先が選択されるまで待機する。
【０１４７】
ステップ＃１０１２では選択された送信先を表示すると共に送信待機状態であることを表示する。
【０１４８】
ステップ＃１０１３では送信要求があるまで待機し、送信要求がなされるとステップ＃１０１４に進む。
【０１４９】
ステップ＃１０１４ではカメラから撮影画像データを取り込み、そのデータが完全に取り込まれた後にそのデータを送信先に送信し、送信が終了するとステップ＃１００７に進む。
【０１５０】
尚、複数の画像を送信する時には始めの画像を携帯電話に取り込み、その送信が終了した後に送信先から送信が確実に行われたことを受信後にカメラ１５からの取り込み画像を破棄し、次の画像をカメラから携帯電話に取り込み、その取り込みが完了した後にその画像の送信を行う様にしている。
【０１５１】
これは送信中に携帯電話１７とカメラ１５の接続が外された時の対策であり、始めに画像を取り込んでおくことで、送信中に携帯電話１７がカメラ１５から外されても携帯電話１７に取り込んだ画像は送信先に送信できるようにしている。
【０１５２】
又、カメラ１５からの画像を携帯電話１７に取り込み中に携帯電話１７がカメラ１５から外された時は送信を中止する様にしている。
【０１５３】
そのため中途半端な画像を送信先に送信してしまう事はない。
【０１５４】
又、毎回カメラからの撮影データを取り込み、送信後、そのデータを破棄し、次の撮影データを取り込むようにしているので携帯電話１７の少ないメモリ容量を有効利用できる。
【０１５５】
図１５は上記ステップ＃１０１４の動作を説明するフローであり、このフローはステップ＃１０１４動作でスタートする。
【０１５６】
ステップ＃２００１ではカメラ１５からの画像を取り込む。
【０１５７】
ステップ＃２００２では携帯電話１７とカメラ１５の接続状態を確認しており、正常に接続されているとステップ＃２００３に進み、両者が取り外されたり、接続状態が不良の場合はこのフローは終了する。
【０１５８】
ステップ＃２００３では画像データがカメラ１５から携帯電話１７のデータ取得部１７ｇへの取込が完了するまでステップ＃２００２、２００３を循環して待機する。
【０１５９】
即ちカメラ１５からの画像データ取得が不十分な状態でカメラ１５と携帯電話１７を外したときはフローは強制的に終了され、携帯電話１７側に取り込んだカメラの画像データは送信先に送信されない。
【０１６０】
これは未完成な画像データを送信先に送りつけることを防止しており、本実施形態の様に容易に携帯電話１７とカメラが着脱できる構成では不可欠な動作である。
【０１６１】
ステップ＃２００４ではデータ取得部１７ｇのＲＡＭに格納した画像データを画像保存部１７ｈのＲＯＭに保存しなおす。
【０１６２】
これは携帯電話１７の電源を不用意に切られたときの対策であり、後述するように送信先にデータ送信が正常に行なえなかったときに繰り返し送信動作を行ない、更に送信できなくなった時も常に画像データを安全に保存しておくためである。
【０１６３】
ステップ＃２００５では画像保存部１７ｈに画像データが保存されるまで待機する。
【０１６４】
ステップ＃２００６では通信部１７ｉが画像データを送信先に送信する。
【０１６５】
ステップ＃２００７では通信部１７ｉが画像データを送信先に送信完了するまで待機する。
【０１６６】
ステップ＃２００８では送信先のデータ受け取り状況を受信し送信先へ送信が正常に行なわれたか否かの確認を行なう。
【０１６７】
ステップ＃２００９で正常に画像データが送信された場合には、ステップ＃２０１０で画像データを削除し、正常に画像データが送信されなかった場合には、ステップ＃２０１１で送信が失敗したことを表示し、ステップ＃２００６に戻って画像データを再送信する。
【０１６８】
尚、ステップ＃１００１、１００３，１００５、１００７、１００９、１０１１、１０１３の様に待機ステップにおいて待機中に携帯電話１７とカメラ１５の接続が絶たれた時にはステップ＃１００７と同様ステップ＃１００３に戻るようになっている。
【０１６９】
このように通信機器（携帯電話１７）とカメラ１５各々に設けられ互いを機械的に固定すると共に何れかを制御する接続システムにおいて、通信機器（携帯電話１７）に設けた通信情報表示画面（液晶表示１７ｂ）とカメラ１５に設けた撮影像確認用表示画面（液晶表示１５ｄ）の画面の向きが揃うように固定方向を設定し、通信機器をカメラに機械的に固定すると通信機器（携帯電話１７）はカメラ１５の撮影情報を送信する送信モードに切り代わるモード切り換え手段（携帯電話マイコン１７ｄ、ステップ＃１００８）を設け各機器を接続した時にユーザーが使いやすいような構成になっている。
【０１７０】
又、通信機器（携帯電話１７）とカメラ１５各々に設けられ互いを機械的に固定すると共に何れかを制御する接続システムにおいて、通信機器（携帯電話１７）に設けた通信情報表示画面（液晶表示１７ｂ）とカメラ１５に設けた撮影光学系撮影方向が互いに揃うように固定方向を設定し、通信機器（携帯電話１７）をカメラ１５に機械的に固定すると情報表示画面（液晶表示１７ｂ）に撮影光学系の撮影する像を表示することを許可する構成にすることで各機器を接続した時にユーザーが使いやすいような構成になっている。
【０１７１】
更に通信機器（携帯電話１７）とカメラ１５各々に設けられ互いを機械的に固定すると共に何れかを制御する接続システムにおいて、通信機器（携帯電話１７）に設けた通信情報表示画面（液晶表示１７ｂ）とカメラ１５に設けた撮影像確認用表示画面（液晶表示１５ｄ）の画面の向きを揃えるように固定方向を設定した第１の固定モードと、通信機器（携帯電話１７）に設けた通信情報表示画面（液晶表示１７ｂ）とカメラに設けた撮影光学系撮影方向が互いに揃うように固定方向を設定した第２の固定モードを有し、第１の固定モードの時には通信機器（携帯電話１７）をカメラ１５の撮影情報を送信する送信モードに切り換え、第２の固定モードの時には情報表示画面（液晶表示１７ｂ）に撮影光学系の撮影する像を表示する画像表示モードに切り換える制御モード切り換え手段（携帯電話マイコン１７ｄ、ステップ＃１００１）を有することで各機器を接続した時にユーザーが使いやすいような構成になっている。
【０１７２】
そして通信機器（携帯電話１７）とカメラ１５各々に設けられ互いを機械的に固定すると共に何れかを制御する接続システムであって、通信機器（携帯電話１７）には通信機器（携帯電話１７）とカメラ１５を接続した時にカメラ１５で撮影した画像データを送信先に送信する送信手段を設け、送信手段はカメラ１５の複数の画像データを送信する時にはカメラ１５の画像データの１つを通信機器（携帯機器１７）側に取り込むデータ取得手段と、取り込んだ画像データを保存する画像保存手段と、保存した画像データを送信先に送信する通信手段とを有し、更にデータ取得手段にカメラ１５からの１つの画像データを取り込ませ、画像保存手段に保存し、保存完了後に送信手段に送信先に画像データを送信させる動作を繰り返す事でカメラ１５の複数の画像データを送信する送信制御手段を設け、通信機器（携帯電話１７）がカメラ１５の画像データを送信する送信動作中に通信機器とカメラの機械的固定が解除された場合に送信制御手段は、機械的接続解除時に画像データを送信先に送信中の場合は画像保存手段に保存してある画像データの送信は継続させ、機械的接続解除時にカメラ１５から画像データを取り込み中であった場合はそのデータの送信先への送信は中止させる構成であり、且つ前記送信制御手段は各画像データ送信完了ごとの送信先からの送信確認が得られた後に画像保存手段に保存した画像データを消去するか或は新たな画像データに更新するようにしている。
【０１７３】
以上の説明で理解されるとおり本実施形態の接続装置は携帯電話１７、カメラ１５、プリンタ１６に設けられ、それらすべては同じ形状をしている。そのためそれら３者を自在に組み合わせることができるようになっている。
【０１７４】
通常のコネクタはオス、メスに分かれているためにたとえば携帯電話１７とプリンタ１６にオスコネクタ、カメラ１５にメスコネクタを設けるとカメラ１５と携帯電話１７、カメラ１５とプリンタ１６の接続はできるがプリンタ１６と携帯電話１７の接続ができない。
【０１７５】
携帯電話１７とプリンタ１６を接続するためには携帯電話１７かプリンタ１６のいずれかにメスコネクタを設ける必要がある。
【０１７６】
そのため機器にコネクタの数が増え大型化してしまう欠点がある。
【０１７７】
しかし本実施形態のように同形状のコネクタ同士で結合できるようにしておけばその欠点がなく、かつユーザーは接続部を迷うことなく快適に機器の操作に専念できる。
【０１７８】
以上のように、第１の機器（カメラ１５）に設けられる第１のコネクタ１１と第２の機器（プリンタ１６）に設けられた第１のコネクタと同形状の第２のコネクタ１１と第３の機器（携帯電話１７）に設けられた第１のコネクタと同じ形状の第３のコネクタ１１で構成され、第１の機器（カメラ１５）と第２の機器（プリンタ１６）の接続及び第２の機器（プリンタ15）と第３の機器（携帯電話１７）の接続及び第３の機器（携帯電話１７）と第１の機器（カメラ１５）の接続は各々のコネクタ１１の同一箇所で行なうようにしたので各機器を自在に組み合わせることが出来ると共に、各々の機器を小型に出来る。
【０１７９】
図１６は本発明の第１の実施形態の変形例であり、図１６においてコネクタ１１１５、１１１６、１１１７はそれぞれカメラ１５に取り付けられるコネクタ、プリンタ１６に取り付けられるコネクタ、携帯電話１７に取り付けられるコネクタである。
【０１８０】
ここでカメラ１５に取り付けられるコネクタ１１１５は今まで図１を用いて説明してきたようなコネクタであるがプリンタ１６に取り付けられるコネクタ１１１６は凸部１１ｂａ、１１ｃａの端部にそれぞれ挿入抑止部１１ｂｃ、１１ｃｃが設けられている。
【０１８１】
そのために矢印１４’の方向からコネクタ１１１５、１１１７をスライド挿入させて互いを結合させることはできない。
【０１８２】
又、コネクタ１１１６では端子１３ａが省かれている。
【０１８３】
携帯電話１７に取り付けられるコネクタ１１１７は爪部１１ｂａ、１１ｃａの端部にそれぞれ挿入抑止部１１ｂｄ、１１ｃｄが設けられている。
【０１８４】
そのために矢印１４の方向からコネクタ１１１５、１１１６をスライド挿入させて互いを結合させることはできない。
【０１８５】
又、コネクタ１１１７では端子１３ｂが省かれている。
【０１８６】
以上のような構成になっているので互いに接続する方向は一方向に限定されてしまうが端子の数を減らすことができるので安くコネクタを作ることができる。
【０１８７】
以上のように第１の機器（携帯電話１７）と第２の機器（プリンタ１６）と第３の機器（カメラ１５）に各々に設けられ、互いをスライドさせる事で何れか２種の機器を互いに機械的に固定する接続装置において、第１の機器（携帯電話１７）、第２の機器（プリンタ１６）、第３の機器（カメラ１５）のうち２種の機器にスライドを係止する係止部（挿入抑止部１１ｂｃ、１１ｂｄ、１１ｃｃ、１１ｃｄ）を設け、第１の機器（携帯電話１７）に設けられる第１のコネクタ１１１７と第２の機器（プリンタ１６）に設けられる第２のコネクタ１１１６と第３の機器（カメラ１５）に設けられる第３のコネクタ１１１５で構成され、互いの機器を機械的に接続する接続装置であって、第１のコネクタ１１１７に設けられ、第２、第３のコネクタ１１１６、１１１５を第１の方向（矢印１４）から第１のコネクタ１１１７に接続許可すると共に第１の方向以外（矢印１４’）からの接続を禁止する第１の接続部（爪部１１ｂａ、１１ｃａ、凸部１１ｂｂ、１１ｃｂ、挿入抑止部１１ｂｃ、１１ｃｃ）と、第２のコネクタ１１１６に設けられ、第２のコネクタ１１１６を第１の方向（矢印１４）から第３のコネクタ１１１５に接続許可すると共に第１の方向以外（矢印１４’）からの接続を禁止する第２の接続部（爪部１１ｂａ、１１ｃａ、凸部１１ｂｂ、１１ｃｂ、挿入抑止部１１ｃｄ、１１ｃｄ）と、第３のコネクタ１１１５に設けられ、第２のコネクタ１１１６を第１の方向から第３のコネクタ１１１５に接続許可すると共に第１のコネクタ１１１７を第１の方向とは反対の第２の方向（矢印１４’）から第３のコネクタ１１１５に接続許可する第３の接続部（爪部１１ｂａ、１１ｃａ、凸部１１ｂｂ、１１ｃｂ）を設けることで互いの機械的接続と電気的接続を確保したままで電気的接続部を小型に出来る。
【０１８８】
（第２の実施形態）
図１７は本発明の第２の実施形態を示す図であり、第１の実施形態との違いはコネクタの互いに係止する爪部の向きが９０度横向きになっている点である。
【０１８９】
図１７において、プレス加工された地板２１ａは半抜きされた爪部２１ｂ、２１ｃを有し、爪部２１ｂ、２１ｃの先端は互いを係止させるために地板２１ａよりオーバーハングする様に設けられている。
【０１９０】
このようにコネクタ２１は金属プレスの地板の半抜き加工で作られているので丈夫に作られているばかりではなく、極めて薄く形成されている。
【０１９１】
地板２１ａには２箇所の孔２１ｄが設けられており、前述したカメラ１５やプリンタ１６、携帯電話１７などに孔２１ｄを介して地板２１ａはネジ止めされる。
【０１９２】
ストッパ２２はピン２２ａが矢印２２ｂの方向にバネ２２ｄにより付勢されており、ピン２２ａの付け根の出っ張り部２２ｃにより所定量以上地板２１ａより突出しない様に抜けどめ構造になっている。
【０１９３】
端子２３は複数の端子列２３ａを有しており、例えば電源端子、信号端子、タイミング端子、グランド端子など個別の役割を持った端子が図示されるように爪部２１ｂの延出方向（矢印２１ｂａ）と直交する方向に並んで配設されている。
【０１９４】
これらの端子２３ａは相手機器との接続時にいずれかのグループが相手機器の端子と接続されると電気的に接続状態になる。
【０１９５】
又、これらの接続端子もストッパ２２と同様に矢印２３ｂの方向にバネ２３ｄによりバネ付勢されており、端子２３ａの付け根の出っ張り部２３ｃにより所定量以上地板２１ａより突出しない様になっている。
【０１９６】
そのために端子列２３ａはおのおの矢印２３ｂと反対側に沈胴可能になっている。
【０１９７】
図１８は対のコネクタの接続状態を示しており、互いの爪部２１ｂ、２１ｃ同士がかみ合って係合している。
【０１９８】
夫々のストッパ２２ａは相手の爪部２１ｂの付け根を押さえるように突出しており、この状態になると互いが離反することはできなくなる。
【０１９９】
ここで互いのコネクタを結合するときには互いの爪部２１ｂ、２１ｃを爪部の背面に位置あわせしてスライドさせてゆくのであるが、このとき地板にはスライドガイド部２１ｅａ、２１ｅｂが設けられているのでそのガイドのテーパーにそって爪部２１ｂ、２１ｃをスライドさせてゆけば互いの位置合わせが簡単に行え、目視で位置合わせをしなくても手探りで２つの機器を接続することができる。
【０２００】
ここで爪部２１ｂを相手の爪部の背面に挿入する時には相手のストッパは爪部２１ｂの先端に押され、相手のストッパ２２ａの先端はテーパ形状になっているために矢印２２ｂとは反対方向にバネに逆らって沈胴する。
【０２０１】
そして爪部２１ｂが相手の爪部の背面に十分入り込むと爪部２１ｂの付け根が相手のストッパから離れるために相手のストッパはバネの力で矢印２２ｂ方向に飛び出し爪部２１ｂをロックする。
【０２０２】
コネクタ同士を再スライドさせて互いの接続を解除したい時にはストッパ２２ａを不図示のノブによりバネ２２ｄの付勢力に逆らって機器側に沈胴させながら互いの地板をスライドさせればよい。
【０２０３】
又、結合状態においては互いの端子２３ａはバネ２３ｄにより相手の端子と圧接状態になるため互いの電気的接続の信頼性は高い。
【０２０４】
この端子２３ａも互いの地板２１ａをスライド結合させるときには相手の地板２１ａにより押されてバネ２３ｄのバネ力に逆らって地板２１ａ内に沈胴し結合時の妨げにはならないようになっている。
【０２０５】
端子２３ａの先端が球面形状になっているのは相手の地板２１ａがスライド挿入されてきた時にその端での押し付け力を端子２３ａの沈胴力に変換するためのテーパの役割を持たせるためである。
【０２０６】
このようなコネクタ形状の場合、複数の端子２３ａの並ぶ方向が爪部２１ｂの延出する方向に対して直角になっている。
【０２０７】
この構成がこのコネクタ同士を結合するときに３者どの様な組み合わせにおいても端子２３ａの各端子の接続が間違いなく行えるようにしている。
【０２０８】
具体的には電源端子は相手の電源端子、信号端子は相手の信号端子、タイミング端子は相手のタイミング端子、グランド端子は相手のグランド端子と接続され、各機器をどのように接続しあってもそれらの組み合わせが狂いショートなどの問題が起こることはない。
【０２０９】
図１９はそのことを具体的に示した図でありコネクタ２１の端子２３ａを含むＣ−Ｃ断面を図示している。
【０２１０】
ここで各コネクタを接続するときにはまずいずれかのコネクタを軸２４回りに矢印２５の方向に回転させる（ステップ＃１）次に互いのコネクタを矢印２６の方向にスライドさせ（ステップ＃２）結合させる。（ステップ＃３）
この軸２４の方向に沿って端子２３ａの列が並んでおり、互いのコネクタを接続するときにはこの軸２４回りに相手のコネクタを回転させるだけなので互いの端子２３ａの列の順番が逆になることはない。
【０２１１】
そして例えば端子の並びをわざと逆にする様にコネクタ２１を軸２７周りに回転させると互いの爪部２１ｂの向きが揃わないので接続させることができない。
【０２１２】
又、２つの爪部２１ｂ、２１ｃの間に端子を配設しているので、コネクタを軸２７回りにまわした場合、爪部がぶつかるのでコネクタ同士を接続させないまでも各端子を接触させることもできない。
【０２１３】
そのために各機器のコネクタの不良接続が起きず信頼性の高いコネクタにできている。
【０２１４】
このように接続動作時の回転軸に沿って各端子を並べたことで各端子の接続は間違いなく行え、又機械的接続方向（爪の方向）と直交方向に上記回転軸（端子列）を設定しているので誤った電気的接続が起きることはなく、かつ端子は2つの爪に挟まれているので接続を行わないで無理に相手の端子と不良な電気的接続が行われることはない。
【０２１５】
以上のように第１の機器（カメラ１５）と第２の機器（プリンタ１６）と第３の機器（携帯電話１７）各々に設けられ、何れか２種の機器を互いに機械的に固定すると共に電気的にも接続する接続装置において、複数の電気的接続端子２３の配設される軸方向２４に対して回転（矢印２５）させた時に互いの機器が機械的に係合しあう係止爪（爪部２１ｂ、２１ｃ）を設け係止爪（爪部２１ｂ、２１ｃ）は複数の電気的接続端子２３ａを挟む様に軸方向に複数配置される様にして機器のどのような組み合わせでも電気的接続が良好に出来るようにしている。そして複数の電気的接続端子２３ａの配設される軸方向２４に対して直交する方向（矢印２１ｂａ）に延出する係止爪（爪部２１ｂ、２１ｃ）を設け、互いに共有する面（地板２１ａ表面）に複数の電気的接続端子２３ａを配置しているので互いの電気的接続の向きが逆になり接続不良が起きる事はない。
【０２１６】
（第３の実施形態）
図２０は本発明の第３の実施形態を示す図であり、第２の実施形態との違いは端子２３ａの配置にある。
【０２１７】
尚、第３の実施形態において第２の実施形態と同じ機能の部材は同じ部番であらわしている。
【０２１８】
図２０において地板２１ａには爪部２１ｂが設けられているが図１７と異なり爪部は１箇所だけで、その幅（紙面上下方向）は広くなっている。
【０２１９】
又、爪部２１ｂは地板２１ａに対して高く隆起しており、爪部２１ｂの背面には端子２３ａの列が図１７と同様に軸２４に沿って配列されている。
【０２２０】
端子２３ａは図１７と同様に導電性のバネ２３ｄを介してフレキシブル基盤２３ｆと導通しておりフレキシブル基盤２３ｆは不図示の機器（地板２１ａが取り付けられるカメラやプリンタや携帯電話）と電気的に接続されている。
【０２２１】
ハウジング２３ｅは端子２３ａの位置決めをするとともに端子２３ａがバネ２３ｄにより飛び出すのを防いでいる。
【０２２２】
ここで特徴的なのは端子２３ａが爪部２１ｂの背面に内向きに取り付けられている点である。
【０２２３】
このことについて説明する。
【０２２４】
図２１は図２０のコネクタが相手のコネクタと結合状態にある時の図である。
【０２２５】
ここで互いのコネクタはハウジング２３ｅ同士で接触しており互いのラジアル方向の離反（矢印２７）を規制している。
【０２２６】
又、互いのスラスト方向（図２０の矢印２８）は爪部の両端（図２０の２１ｂｂ、２１ｂｃ）と相手の地板２１ａの内端（図２０の２１ａｂ、２１ａｃ）が当接することで規制されている。
【０２２７】
端子２３ａは相手の端子に押されてバネ２３ｄを縮めてハウジング２３ｅ内にひっこんでおり、バネの力で互いの端子の導通を図っている。
【０２２８】
ここで２つのコネクタが組み合わさっているときに互いが同じ場所で接触している共有部分は爪部２１ｂの背面だけである。
【０２２９】
例えば爪部２１ｂの上面２１ｂｄは結合時に相手のコネクタの地板２１ａの切り欠きに対向するので相手の地板２１ａとは直接には接触せず、相手のコネクタの設けられる機器の外装面などと接触している。
【０２３０】
又、爪部の内側の隆起部２１ｂｅは相手の爪部の先端２１ｂｆと接触している。
【０２３１】
そのため互いが同じ場所で接触している個所は爪部２１ｂの背面だけである。
【０２３２】
例えば２つの機器同士の接続であるならば端子の配置は限定されず、上記の様に爪部２１ｂの上面２１ｂｄに設け、相手側の端子は機器の外装面などに設けても良い。
【０２３３】
しかしながら本実施形態の様に３者を自在に接続するコネクタの場合には３者のコネクタとも同じ位置に端子を配置する必要がある。
【０２３４】
そのためコネクタ結合時に同じ位置で接触する部分を探すと爪部２１ｂの背面しかない。
【０２３５】
そして爪部２１ｂの背面に端子２３ａを設けると３者のどの組み合わせにおいても確実に接続ができるばかりでなく、端子２３ａが露出しないのでユーザーに触れられることはなく信頼性も向上するメリットも生まれる。
【０２３６】
以上の様に第１の機器（カメラ１５）と第２の機器（プリンタ１６）と第３の機器（携帯電話１７）各々に設けられ、何れか２種の機器を互いに機械的に固定すると共に電気的に接続する接続装置において、機械的固定時にラジアル方向の互いの離反を規制する離反規制面（爪部２１ｂの背面）に互いの電気的接続を確保する電気接続部（端子２３ａ）を設け、電気的接続端子２３ａは複数の電気的接続端子を含み、前記係止爪２１ｂの延出方向と直交方向に複数の電気的接続端子２３ａを配設することで機器のどのような組み合わせでも電気的接続が良好に出来るようにしている。
【０２３７】
（第４の実施形態）
図２２は本発明の第４の実施形態を示す図であり、今までの実施形態の様にお互いの機器を機械的に拘束する爪部が本体から露出していないが、電気的な接続端子の配列は爪部の延出方向とは直角であり、且つ爪部に挟まれた中央に配置されている点は上述した今までの実施形態と同じである。
【０２３８】
図において３１はカメラ１５やプリンタ１６や携帯電話１７の本体である。
【０２３９】
３２は本体に内蔵された爪部であり本体３１内の溝に沿って軸３２ｃを中心として矢印３２ｄ周りに回動可能に支持されている。
【０２４０】
ここで爪部３２はバネ３２ｅにより矢印３２ｄ方向に付勢されているので爪部先端３２ｂは本体３１から突出し、爪部先端３２ａは本体３１から沈胴するはずであるがストッパ３３の押さえ部３３ｂが爪部３２の背面３２ｆを押さえているので爪部３２は図２２の状態を保つ。
【０２４１】
尚、本体３１の爪部３２の収納空間は爪部が所定の角度まで回転したときと同じ形状にくりぬかれているので爪部３２はこの空間の中で自由に回転することができる。
【０２４２】
すなわち図２２の状態から図２３で説明する角度まで爪部３２は回転が可能であり、それ以上の回転は本体３１の空間が回転規制することになる。
【０２４３】
ここでストッパ３３も本体３１よりバネ３３ｃにより付勢されているが、このバネ３３ｃのバネ力はバネ３２ｅのバネ力に比べて十分強いので爪部３２はバネ３２ｅの付勢力に負けて矢印３２ｄ方向に回転してしまうことはない。
【０２４４】
解除レバー３４は爪部３２が矢印３２ｄ方向に回転してしまったときに、それを強制的にもとにもどす役割をしている。
【０２４５】
２３ａは今までの実施形態と同様飛び出し方向にバネ付勢された電気端子であり図２２の様に紙面縦方向３１ａに並んで配設されている。
【０２４６】
図２２においてストッパ３３の先端３３ａを矢印３３ｄ方向に押し込むと図２３の様になる。
【０２４７】
この時爪部３２は矢印３２ｄ方向に回転し爪部３２ｂは矢印３２ｇ方向に引っ掛け形状にオーバーハングするように本体３１より飛び出してくる。
【０２４８】
この状態ではストッパ３３の先端３３ａの矢印３３ｄ方向の力がなくなればバネ３３ｃにより再び爪部３２の先端３２ｂは本体３１内に引っ込み、反対に先端３２ａは本体３１の表面まで戻り図２２の状態になる。
【０２４９】
このようなコネクタを対向させて押し付けた図が図２４であり、互いの本体３１がストッパ３３の先端３３ａを押し付けるために爪部３２は回転を始め爪部先端３２ａは本体３１から沈胴し、その空間に相手の爪部３２ｂが挿入されてくる。
【０２５０】
そして図２４の様に完全に結合された状態になると互いの爪部３２ｂのオーバーハングが相手の本体の爪部収納空間に引っかかる。
【０２５１】
ストッパ３３の先端３３ａは相手の本体に押されて突出できないために爪部３２はバネ３２ｅに付勢されつづけもとの状態に戻ることはない。そのために２つのコネクタは離れなくなる。
【０２５２】
２つのコネクタをはずすためには解除レバー３４を本体不図示の操作ノブで操作して解除レバー３４によりバネ３２ｅに逆らって爪部３２を図２２の状態に戻す。
【０２５３】
そうすると互いの結合が外れ２つのコネクタは分離し、同時にストッパ３３も突出してくる。
【０２５４】
電気的接続端子２３ａは今までの実施形態と同様にバネで突出付勢されており、図２４のような結合状態では互いにバネで押し付けあうことで導通状態を保っている。
【０２５５】
ここで爪部先端３２ａと３２ｂは連結され、一方が本体より突出すれば他方は本体内部に沈胴し、そのできた空間に相手の爪部先端３２ｂが挿入される構成のために爪部の相手の本体の挿入負荷が少なく、且つ通常時には空間部は爪部先端３２ａで埋められているのでゴミがたまる事はない。
【０２５６】
又、この様に突出部と沈胴部でコネクタを形成することで通常時には爪部が本体より飛び出ることがなくコンパクトなだけでなく、品位や安全性も向上する。
【０２５７】
以上の様に第１の機器（例えばカメラ１５）と第２の機器（例えばプリンタ１６）に設けられ、互いに機械的に固定する接続装置において、複数の接続ピン（爪部先端３２ａ、３２ｂ）の中で機器（本体３１）からの延出が許可され、沈胴が規制されると共に相手側の機器に挿入される第１の接続ピン（爪部先端３２ｂ）と、機器からの延出が規制され機器内に沈胴して沈胴時に相手側機器の接続ピンが挿入可能な孔を形成する第２の接続ピン（爪部先端３２ａ）とで構成され、第１の接続ピン（爪部先端３２ｂ）と第２の接続ピン（爪部先端３２ａ）は、第２の接続ピンが沈胴される時に第１の接続ピンが延出する様に互いに連結される（爪部３２）と共に第１のピン（爪部先端３２ｂ）を沈胴方向に付勢するか、或は前記第２のピン（爪部先端３２ａ）を延出方向に付勢する付勢手段（バネ３２ｅ）を設け、更に第１のピンと第２のピンに挟まれ、第１のピンと第２のピンを結ぶ軸と直角方向に複数配列された電気的接続端子２３ａを有する。
【０２５８】
又、第１のピン（爪部先端３２ｂ）及び第２のピン（爪部先端３２ａ）は互いに相手の機器に延出方向を変化させながら挿入され（爪部先端がオーバーハングした円弧状であること）、第１のピン（爪部先端３２ｂ）と第２のピン（爪部先端３２ａ）は端部において接続され（爪部３２）、１つの軸３２ｃ周りに回転可能に支持されると共に第１のピン（爪部先端３２ｂ）と第２のピン（爪部先端３２ａ）の軸周りの所定の角度以上の回転を規制する回転規制手段（本体３１の爪部３２を収納する空間）と第１のピン（爪部先端３２ｂ）と第２のピン（爪部先端３２ａ）の軸周り回転３２ｄの１方向を付勢する付勢手段（バネ３２ｅ）を設けることで各機器を自在に接続できるようになると共に接続装置の小型化を行なうことができた。
【０２５９】
【発明の効果】
以上説明したように、本発明によれば、カメラとプリンタと携帯電話を同じ接続部で互いに機械的に接続すると共に電気的にも接続を行い各機器を小型軽量にすると共に、ユーザーにとっても使いやすい機器にするための接続装置を実現することができる。
【図面の簡単な説明】
【図１】本発明の第１の実施形態のコネクタを示す図である。
【図２】本発明の第１の実施形態のコネクタを組み合わせた状態を示す図である。
【図３】本発明の第１の実施形態のコネクタを組み合わせた状態を示す図である。
【図４】本発明の第１の実施形態のコネクタをカメラに組み込んだ状態を示す正面図である。
【図５】本発明の第１の実施形態のコネクタをカメラに組み込んだ状態を示す背面図である。
【図６】本発明の第１の実施形態のコネクタをプリンタに組み込んだ状態を示す図である。
【図７】本発明の第１の実施形態のコネクタを携帯電話に組み込んだ状態を示す左側面図である。
【図８】本発明の第１の実施形態のコネクタを携帯電話に組み込んだ状態を示す右側面図である。
【図９】本発明の第１の実施形態のコネクタによるカメラとプリンタの結合図である。
【図１０】本発明の第１の実施形態のコネクタによるプリンタと携帯電話の結合図である
【図１１】本発明の第１の実施形態のコネクタによりカメラと携帯電話を結合する第１の形態を示す図である。
【図１２】本発明の第１の実施形態のコネクタによりカメラと携帯電話を結合する第２の形態を示す図である。
【図１３】本発明の第１の実施形態の制御ブロック図である。
【図１４】本発明の第１の実施形態の表示フローチャートである。
【図１５】本発明の第１の実施形態における通信フローチャートである。
【図１６】本発明の第１の実施形態のコネクタの変形例を示す図である。
【図１７】本発明の第２の実施形態のコネクタを示す図である。
【図１８】本発明の第２の実施形態のコネクタを組み合わせた状態を示す図である。
【図１９】本発明の第２の実施形態のコネクタを組み合わせた状態を示す図である。
【図２０】本発明の第３の実施形態のコネクタを示す図である。
【図２１】本発明の第３の実施形態のコネクタを組み合わせた状態を示す図である。
【図２２】本発明の第４の実施形態のコネクタを示す図である。
【図２３】本発明の第４の実施形態のコネクタの動作を示す図である。
【図２４】本発明の第４の実施形態のコネクタを組み合わせた状態を示す図である。
【図２５】従来のカメラとプリンタの結合方法の説明図である。
【図２６】従来の携帯電話とプリンタの結合方法の説明図である。
【図２７】従来のカメラと携帯電話の結合説明図である。
【符号の説明】
１１  コネクタ
１２  ストッパ
１３  端子
１４  スライド方向
１５  カメラ
１６  プリンタ
１７  携帯電話
２１  コネクタ
２２  ストッパ
２３  端子
３１  本体
３２  爪部
３３  ストッパ
３４  解除レバー
【図１】
2004192947.tif 000003
【図２】
2004192947.tif 000004
【図３】
2004192947.tif 000005
【図４】
2004192947.tif 000006
【図５】
2004192947.tif 000007
【図６】
2004192947.tif 000008
【図７】
2004192947.tif 000009
【図８】
2004192947.tif 000010
【図９】
2004192947.tif 000011
【図１０】
2004192947.tif 000012
【図１１】
2004192947.tif 000013
【図１２】
2004192947.tif 000014
【図１３】
2004192947.tif 000015
【図１４】
2004192947.tif 000016
【図１５】
2004192947.tif 000017
【図１６】
2004192947.tif 000018
【図１７】
2004192947.tif 000019
【図１８】
2004192947.tif 000020
【図１９】
2004192947.tif 000021
【図２０】
2004192947.tif 000022
【図２１】
2004192947.tif 000023
【図２２】
2004192947.tif 000024
【図２３】
2004192947.tif 000025
【図２４】
2004192947.tif 000026
【図２５】
2004192947.tif 000027
【図２６】
2004192947.tif 000028
【図２７】
2004192947.tif 000029